(57)【要約】【課題】オーバードライブ処理を行わずに、液晶の応答速度を改善し得る電気光学装置及び電子機器を提供すること。【解決手段】画素は、第１のサブ画素２０と第２のサブ画素３０とにより構成され、第２のサブ画素３０のスイッチング素子３４に接続されている制御線Ｗに、スイッチング素子３４をオン状態又はオフ状態にする所定の信号を供給する信号供給部１３と、帰線期間において、黒挿入を行う制御回路１４と、外部から供給された画像データの階調値を検出する階調値検出部１５と、検出された階調値が中間階調とみなし得る所定の範囲内に入っているかどうかを判断する判断部１６と、を備え、階調値が中間階調と判断され、第１のサブ画素２０のスイッチング素子２４がオン状態のときに、信号供給部１３は、制御線Ｗに所定の信号を供給して、スイッチング素子３４をオフ状態にする。【選択図】図２
2008076958.tif 000002
【特許請求の範囲】
【請求項１】
複数の走査線と複数のデータ線との交差に対応して配置されてなる複数の画素と、前記複数の走査線を所定の順番で選択するための選択信号を生成し、前記走査線に供給する走査線駆動回路と、入力された画像データから所定の信号を生成し、前記所定の信号を前記データ線に供給するデータ線駆動回路と、を備える電気光学装置であって、
前記画素は、第１のサブ画素と、少なくとも１つ以上の第２のサブ画素とにより構成され、
前記第１のサブ画素は、第１の画素電極と、当該第１の画素電極と対向する共通電極と、前記走査線を介して前記選択信号が供給されたときにオン状態となり、前記データ線と前記第１の画素電極とを電気的に接続する第１のスイッチング素子と、により構成され、
前記第２のサブ画素は、第２の画素電極と、当該第２の画素電極と対向する前記共通電極と、前記第１のスイッチング素子を介して前記データ線と前記第２の画素電極とを電気的に接続する第２のスイッチング素子と、により構成され、
前記第２のスイッチング素子に接続されている制御線に、前記第２のスイッチング素子をオン状態又はオフ状態にする信号を供給する信号供給手段を備え、
垂直帰線期間において、前記走査線駆動回路は、前記選択信号を前記走査線に供給するとともに、前記信号供給手段は前記第２のスイッチング素子をオン状態にする信号を供給し、前記データ線駆動回路は、前記第１の画素電極及び前記第２の画素電極の電位が最大階調又は最小階調となる信号を前記データ線に供給することを特徴とする電気光学装置。
【請求項２】
請求項１に記載の電気光学装置において、
前記画像データの階調値を検出する階調値検出手段と、
前記階調値検出手段により検出された階調値が中間階調とみなし得る所定の範囲内に入っているかどうかを判断する判断手段と、を更に備え、
前記信号供給手段は、前記判断手段により階調値が中間階調とみなし得る所定の範囲内に入っていると判断された場合に、前記第１のスイッチング素子がオン状態のときに、前記制御線に前記所定の信号を供給し、前記第２のスイッチング素子をオフ状態にすることを特徴とする電気光学装置。
【請求項３】
請求項１又は２に記載の電気光学装置において、
前記第１のサブ画素及び前記第２のサブ画素は、各画素内において、前記走査線が延在する方向に隣接して配列され、
各画素は、隣接する画素同士の境界を挟んで、互いに異なる前記第１のサブ画素及び前記第２のサブ画素が並ぶように配列されることを特徴とする電気光学装置。
【請求項４】
請求項１又は２に記載の電気光学装置において、
前記第１のサブ画素及び前記第２のサブ画素は、各画素内において、前記データ線が延在する方向に隣接して配列され、
各画素は、隣接する画素同士の境界を挟んで、互いに異なる前記第１のサブ画素及び前記第２のサブ画素が並ぶように配列されることを特徴とする電気光学装置。
【請求項５】
請求項１乃至４に記載の電気光学装置において、
前記第１の画素電極及び前記第２の画素電極と、前記共通電極との間には、誘電率異方性が負の液晶が設けられていることを特徴とする電気光学装置。
【請求項６】
請求項１乃至５のいずれか１項に記載の電気光学装置を備えたことを特徴とする電子機器。
【発明の詳細な説明】
【技術分野】
【０００１】
本発明は、液晶表示装置等の電気光学装置及び電子機器に関する。
【背景技術】
【０００２】
電気光学装置として、アクティブマトリクス型の液晶表示装置が知られている。このアクティブマトリクス型の液晶表示装置は、複数の走査線と複数のデータ線の交差に対応して配置されてなる複数の画素と、複数の走査線を駆動する走査線駆動回路と、複数のデータ線を駆動するデータ線駆動回路と、電気光学物質である液晶と、を備えている。
【０００３】
また、液晶の駆動方式には、ＴＮ（Ｔｗｉｓｔｅｄ  Ｎｅｍａｔｉｃ）方式、ＶＡ（Ｖｅｒｔｉｃａｌ  Ａｌｉｇｎｍｅｎｔ）方式及びＩＰＳ（Ｉｎ−Ｐｌａｎｅ−Ｓｗｉｔｃｈｉｎｇ）方式等がある。
【０００４】
ここで、ＶＡ方式について説明する。ＶＡ方式では、図７に示すように、印加される電圧がオフ状態のときには液晶分子が挟持される電極に対してほぼ垂直に直立し、背面から照射されるバックライトの光が遮断され、黒表示となり（図７（Ａ））、また、印加される電圧が所定値（中間値）のときには液晶分子が挟持される電極に対して所定の角度に維持され、背面から照射されるバックライトの光の一部を透過し（図７（Ｂ））、さらに、印加される電圧が最大値のときには液晶分子が挟持される電極に対してほぼ水平に均され、背面から照射されるバックライトの光を全て透過し、白表示となる（図７（Ｃ））。
【０００５】
また、ＶＡ方式は、印加される電圧がオフ状態のときにはバックライトの光が液晶分子の影響を受けず偏光板でほぼ完全に遮断されるので、ＴＮ方式等に比べて、純粋な黒を表現でき、また、コントラスト比を高くしやすい特徴を有している。
【０００６】
また、ＶＡ方式では、立ち上がり（黒表示から白表示への変化）の応答速度と、立ち下がり（白表示から黒表示への変化）の応答速度に比べ、中間の階調を表示する際の応答速度が遅いという傾向がある。この中間階調の応答速度を改善するために、一般的に、オーバードライブ処理が行われている（例えば、特許文献１参照。）。
【０００７】
ここで、オーバードライブ処理について説明をする。液晶表示装置は、外部から入力された画像データから階調データを検出し、検出した階調データを補正回路とメモリに供給する。メモリは、階調データを１フレーム期間記憶した後、補正回路に出力する。
【０００８】
補正回路は、１フレーム前の階調データと、１フレーム後の階調データとを比較し、当該比較結果に応じて１フレーム後の階調データを補正し、当該補正に応じた印加電圧を液晶に印加する。したがって、中間階調を表示する際には、液晶に印加される電圧を大きくすることにより、中間階調の応答速度を改善している。
【特許文献１】特開２００３−１４３５５６号公報
【発明の開示】
【発明が解決しようとする課題】
【０００９】
しかしながら、このようなオーバードライブ処理を行うためには、１フレーム前の階調データを一時的に記憶保持するためのメモリが必要となる。したがって、液晶表示装置の駆動処理部にＲＡＭ等のメモリが搭載されていないタイプの場合には、オーバードライブ処理のために専用のメモリを設ける必要があり、当該メモリを実装するために基板面積が広くなり、コストアップにつながってしまう。
【００１０】
また、オーバードライブ処理においては、１フレーム前の階調データと、１フレーム後の階調データとの比較演算を行うので、その分の電力が必要となる。
【００１１】
そこで、本発明の目的は、上述した問題点を解決するためになされたものであって、オーバードライブ処理を実行することなく電気光学物質の応答速度を改善し得る電気光学装置及び電子機器を提供することにある。
【課題を解決するための手段】
【００１２】
本発明の電気光学装置は、複数の走査線と複数のデータ線との交差に対応して配置されてなる複数の画素と、前記複数の走査線を所定の順番で選択するための選択信号を生成し、前記走査線に供給する走査線駆動回路と、入力された画像データから所定の信号を生成し、前記所定の信号を前記データ線に供給するデータ線駆動回路と、を備える電気光学装置であって、前記画素は、第１のサブ画素と、少なくとも１つ以上の第２のサブ画素とにより構成され、前記第１のサブ画素は、第１の画素電極と、当該第１の画素電極と対向する共通電極と、前記走査線を介して前記選択信号が供給されたときにオン状態となり、前記データ線と前記第１の画素電極とを電気的に接続する第１のスイッチング素子と、により構成され、前記第２のサブ画素は、第２の画素電極と、当該第２の画素電極と対向する前記共通電極と、前記第１のスイッチング素子を介して前記データ線と前記第２の画素電極とを電気的に接続する第２のスイッチング素子と、により構成され、前記第２のスイッチング素子に接続されている制御線に、前記第２のスイッチング素子をオン状態又はオフ状態にする信号を供給する信号供給手段を備え、垂直帰線期間において、前記走査線駆動回路は、前記選択信号を前記走査線に供給するとともに、前記信号供給手段は前記第２のスイッチング素子をオン状態にする信号を供給し、前記データ線駆動回路は、前記第１の画素電極及び前記第２の画素電極の電位が最大階調又は最小階調となる信号を前記データ線に供給することを特徴とする。
【００１３】
本発明では、制御手段により、帰線期間において、全画素に対して、いわゆる黒挿入を行い、かつ、１画素が、第１のサブ画素と、少なくとも１以上の第２のサブ画素とにより構成され、画素部におけるスイッチング素子の数を最小限にしながら黒挿入による動画ボケの改善（動画の見栄え改善）を行うことができる。
【００１４】
また、上述の電気光学装置では、前記画像データの階調値を検出する階調値検出手段と、前記階調値検出手段により検出された階調値が中間階調とみなし得る所定の範囲内に入っているかどうかを判断する判断手段と、を更に備え、前記信号供給手段は、前記判断手段により階調値が中間階調とみなし得る所定の範囲内に入っていると判断された場合に、前記第１のスイッチング素子がオン状態のときに、前記制御線に前記所定の信号を供給し、前記第２のスイッチング素子をオフ状態にする構成が好ましい。
【００１５】
本発明では、判断手段により、画像データの階調値が中間階調とみなし得る所定の範囲内に入っていると判断された場合に、第１のサブ画素と、第２のサブ画素によって中間階調を行う構成であるため、オーバードライブ処理を実行せずに中間階調表示を行うことができる。
【００１６】
したがって、本発明によれば、オーバードライブ処理を行うために必要であったメモリを不要とするので、装置全体を縮小化でき、コストを低廉にすることができ、液晶の応答速度を改善することもできる。さらに、本発明によれば、オーバードライブ処理に必要であった電力を省くことも可能である。
【００１７】
また、上述の電気光学装置では、前記第１のサブ画素及び前記第２のサブ画素は、各画素内において、前記走査線が延在する方向に隣接して配列され、各画素は、隣接する画素同士の境界を挟んで、互いに異なる前記第１のサブ画素及び前記第２のサブ画素が並ぶように配列されることが好ましい。
【００１８】
このような発明によれば、階調表示が異なる複数のサブ画素が画素内で、走査線が延在する方向（水平方向）に並列接続されているので、ドット反転駆動方式と同様にフリッカーの防止が可能である。
【００１９】
また、上述の電気光学装置では、前記第１のサブ画素及び前記第２のサブ画素は、各画素内において、前記データ線が延在する方向に隣接して配列され、各画素は、隣接する画素同士の境界を挟んで、互いに異なる前記第１のサブ画素及び前記第２のサブ画素が並ぶように配列されることが好ましい。
【００２０】
このような発明によれば、階調表示が異なる複数のサブ画素が画素内で、データ線が延在する方向（垂直方向）に縦列接続されているので、ドット反転駆動方式と同様にフリッカーの防止が可能である。さらに、本発明によれば、スイッチング素子を配置するためのスペースを容易に設けることができ、スイッチング素子の増加による開口率の低下を防止することが可能である。
【００２１】
また、上述の電気光学装置では、前記第１の画素電極及び前記第２の画素電極と、前記共通電極との間には、誘電率異方性が負の液晶が設けられていることが好ましい。
【００２２】
このような発明によれば、低い階調から高い階調への応答が遅い液晶、例えば、ＶＡ液晶により構成されていても、判断手段により、画像データの階調値が中間階調とみなし得る所定の範囲内に入っていると判断された場合、第１のサブ画素と、第２のサブ画素によって中間階調を行うため、オーバードライブ処理を実行せずに中間階調表示を高速に行うことができる。
【００２３】
また、本発明の電子機器は、上述の電気光学装置を備えたことを特徴とする。
【００２４】
この発明によれば、上述した効果と同様の効果がある。
【発明を実施するための最良の形態】
【００２５】
以下、本発明の実施の形態を図面に基づいて説明する。なお、以下の実施の形態及び変形例の説明にあたって、同一の構成要件については同一符号を付し、その説明を省略若しくは簡略化する。
【００２６】
ここで、図１を参照して、階調値と、液晶の応答時間との関係について説明する。
【００２７】
いま、１フレーム前の画像データの階調値が「０」であって、１フレーム後の階調値が「６４」になる場合には、液晶の応答時間は、８１ｍｓｅｃとなる。同様に、１フレーム前の画像データの階調値が「０」であって、１フレーム後の階調値がそれぞれ「１２８」、「１９２」、及び「２５５」になる場合には、液晶の応答時間は、それぞれ５９ｍｓｅｃ、４４ｍｓｅｃ、及び２４ｍｓｅｃとなる。同様に、１フレーム前の画像データの階調値がそれぞれ「６４」、「１２８」、「１９２」、及び「２５５」である場合には、図１に示すように、１フレーム後の階調値によってその応答時間が決まる。
【００２８】
また、図１から理解できるように、低い階調値から高い階調値に変化する場合や、高い階調値から低い階調値に変化する場合の応答時間に比べて、低い階調値から中間の階調値に変化する場合の応答時間や、高い階調値から中間の階調値に変化する場合の応答時間が遅いことが分かる。
【００２９】
本発明では、中間の階調値に変化する場合において、オーバードライブ処理を実行せずに、分割画素による面積階調を行うことにより、液晶の応答速度の改善を図ることを目的とする。また、本発明では、動画の見栄え改善に面積階調により液晶の応答速度の改善を行う駆動と、黒挿入とを組み合わせることにより、開口率を下げずに見栄えの改善を行う構成を提案するものである。
【００３０】
ここで、本発明に係る実施の形態について説明する。
【００３１】
電気光学装置１は、例えば、ＭＶＡ（Ｍｕｌｔｉ  Ｄｏｍａｉｎ  Ｖｅｒｔｉｃａｌ  Ａｌｉｇｎｍｅｎｔ）方式を採用し、誘電率異方性が負（Δε＜０）の液晶が用いられている。
【００３２】
また、電気光学装置１は、図２に示すように、複数の画素を有する表示領域から構成される画素部Ａと、複数の走査線Ｙを所定の順番で選択する走査線駆動回路１０と、共通電極に印加する電圧を供給する共通電極駆動回路１１と、走査線Ｙが選択されたときにデータ線Ｘに画像データに基づく信号を供給するデータ線駆動回路１２と、制御線Ｗに所定の信号を供給する信号供給手段としての信号供給部１３と、走査線駆動回路１０と、共通電極駆動回路１１と、データ線駆動回路１２と、信号供給部１３とを制御する制御手段としての制御回路１４と、画像データの階調値を検出する階調値検出手段としての階調値検出部１５と、階調値検出部１５により検出された階調値が中間階調とみなし得る所定の範囲内に入っているかどうかを判断する判断手段としての判断部１６と、を備える。また、電気光学装置１は、図示しないが、画素部Ａを背面から照射するバックライトユニットを備えている。また、図２においては、画素部Ａは、一部（第１の画素１００、第２の画素１０１、第３の画素１０２、第４の画素１０３）のみを示している。
【００３３】
ここで、画素部Ａの構成について詳細に説明する。本発明に係る各画素は、複数のサブ画素を一組としてそれぞれ構成されている。以下では、各画素は、第１のサブ画素２０と第２のサブ画素３０とにより構成されるものとして説明を行う。
【００３４】
第１のサブ画素２０は、図２に示すように、画素電極２１と、画素電極２１に対向して設けられた対向電極２２と、電荷を蓄積する蓄積容量２３と、走査線Ｙから供給される選択信号に応じて、データ線Ｘと画素電極２１とを電気的に接続する第１のスイッチング素子（例えば、ＴＦＴ（Ｔｈｉｎ  Ｆｉｌｍ  Ｔｒａｎｓｉｓｔｏｒ））２４と、から構成されている。
【００３５】
また、第１のスイッチング素子２４は、第１の端子（ソース端子又はドレイン端子）を介して画素電極２１に接続され、第２の端子（ゲート端子）を介して走査線Ｙに接続され、第３の端子（ドレイン端子又はソース端子）を介してデータ線Ｘに接続されている。
【００３６】
第２のサブ画素３０は、図２に示すように、画素電極３１と、画素電極３１に対向して設けられた対向電極３２と、電荷を蓄積する蓄積容量３３と、制御線Ｗから供給される切換信号に応じて、画素電極３１と第１のスイッチング素子２４とを電気的に接続する第２のスイッチング素子３４と、から構成される。なお、対向電極２２と対向電極３２とは、一体的に構成されており、以下では、共通電極４０と呼ぶ。
【００３７】
また、第２のスイッチング素子３４は、第１の端子（ソース端子又はドレイン端子）を介して画素電極３１に接続され、第２の端子（ゲート端子）を介して制御線Ｗに接続され、第３の端子（ドレイン端子又はソース端子）を介して第１のスイッチング素子２４の第１の端子に接続されている。
【００３８】
つぎに、画素部Ａのサブ画素の配列について説明する。
【００３９】
＜画素部Ａ・第１の配列＞
第１のサブ画素２０と第２のサブ画素３０は、図３に示すように、画素内において、走査線Ｙが延在する方向（水平方向）に隣接して配列されている。また、各画素は、隣接する画素同士の境界を挟んで、互いに異なる前記サブ画素が並ぶように配列されている。
【００４０】
したがって、このような配列によれば、第１のサブ画素２０と第２のサブ画素３０とが水平方向に並列接続されているので、フリッカーの発生を防止することが可能である。
【００４１】
＜画素部Ａ・第２の配列＞
また、第１のサブ画素２０と第２のサブ画素３０は、図４に示すように、画素内において、データ線Ｘが延在する方向（垂直方向）に隣接して配列されている。また、各画素は、隣接する画素同士の境界を挟んで、互いに異なる前記サブ画素が並ぶように配列されている。
【００４２】
したがって、このような配列によれば、第１のサブ画素２０と第２のサブ画素３０とが画素内で垂直方向に縦列接続されているので、フリッカーの発生を防止することが可能である。さらに、スイッチング素子を配置するためのスペースを容易に設けることができるので、スイッチング素子の増加による開口率の低下を防止することが可能である。
【００４３】
また、走査線駆動回路１０は、第１のスイッチング素子２４を導通状態にする選択信号を走査線に線順次で供給する。
【００４４】
共通電極駆動回路１１は、第１電圧と、この第１電圧よりも電位の高い第２電圧とを１水平走査期間ごとに交互に共通電極４０に供給する。また、共通電極駆動回路１１は、共通電極４０に印加する電圧（Ｖｃｏｍ）を、１水平走査期間ごとに反転する。したがって、液晶は、交流駆動となり、劣化の防止を図ることができる。
【００４５】
データ線駆動回路１２は、画像データをデータ線Ｘに供給し、オン状態の第１のスイッチング素子２４を介して、当該画像データに基づく画像電圧を画素電極２１に書き込み、第２のスイッチング素子３４がオン状態の場合に、当該画像データに基づく画像電圧を画素電極３１に書き込む。
【００４６】
ここで、データ線駆動回路１２は、共通電極４０の電圧よりも電位の高い正極性の画像データをデータ線Ｘに供給して、この正極性の画像データに基づく画像電圧を画素電極２１、画素電極３１に書き込む正極性書込と、共通電極４０の電圧よりも電位の低い負極性の画像データをデータ線Ｘに供給して、この負極性の画像データに基づく画像電圧を画素電極２１、画素電極３１に書き込む負極性書込と、を１水平走査期間ごとに交互に行う。
【００４７】
信号供給部１３は、第２のスイッチング素子３４に接続されている制御線Ｗに、第２のスイッチング素子３４をオン状態又はオフ状態にする所定の信号を供給する。
【００４８】
制御回路１４は、垂直帰線期間において、全画素に対して、動画ボケの改善を行うための黒画面の挿入処理、いわゆる黒挿入を行う。なお、制御回路１４は、タイミング・コントローラも兼ねており、図示しない外部から入力された垂直同期信号、水平同期信号及び画像データに基づいて、所定のタイミング信号を生成し、走査線駆動回路１０、共通電極駆動回路１１及びデータ線駆動回路１２に供給する。
【００４９】
ここで、黒挿入の必要性について説明する。液晶表示装置では、あるフレーム中に表示された画像は、次のフレームに切り替わる直前まで保持される、いわゆるホールド型の表示方式となっているため、人間の目の特性上、動画像を表示する際に残像が目立ち、表示される画像が不鮮明になる（以降、動画像ぼやけと呼ぶ）場合がある。なお、ＣＲＴ（Ｃａｔｈｏｄｅ  Ｒａｙ  Ｔｕｂｅ）やＰＤＰ（Ｐｌａｓｍａ  Ｄｉｓｐｌａｙ  Ｐａｎｅｌ）では、光の点滅により画像を表示する、いわゆるインパルス型の表示方式であるため、このような動画像ぼやけが発生しない。
【００５０】
そこで、制御回路１４では、動画像ぼやけを低減させるために、１フレームごとに、垂直帰線期間において、黒画面の挿入を行っている。
【００５１】
具体的には、制御回路１４は、図５に示すように、垂直帰線期間Ｔにおいて、走査線Ｙに選択信号を供給するように走査線駆動回路１０を制御し、また、制御線Ｗに所定の信号を供給するように信号供給部１３を制御し、また、画素電極２１及び画素電極３１の電位が最大階調又は最小階調となる信号をデータ線Ｘに供給するようにデータ線駆動回路１２を制御する。なお、表示方式がいわゆるノーマリーブラックモードを採用している場合には、制御回路１４は、画素電極２１及び画素電極３１の電位が共通電極４０の電位と等電位となる所定の信号をデータ線Ｘに供給するようにデータ線駆動回路１２を制御する。
【００５２】
なお、電気光学装置１では、垂直帰線期間において、データ線駆動回路１２とは異なる別の回路に、画素電極２１及び画素電極３１の電位が共通電極４０の電位と等電位となる所定の信号を生成させて、データ線Ｘに供給するような構成であっても良い。このような構成の場合には、当該回路は、画素部Ａを介してデータ線駆動回路１２の対向側にスイッチ部を介して配置されている。そして、制御回路１４の制御に応じて、当該スイッチ部がオン状態となり、当該別の回路から供給された所定の電圧がデータ線Ｘを介して画素電極２１及び画素電極３１に印加される。
【００５３】
階調値検出部１５は、入力される画像データの階調値を検出し、検出結果を判断部１６に供給する。なお、本実施の形態においては、階調値検出部１５は、２５６階調で画像データの階調値を検出するが、特にこれに限られない。
【００５４】
判断部１６は、階調値検出部１５から供給された階調値が、中間階調とみなし得る所定の範囲内（例えば、６４乃至１２８）かどうかの判断を行う。制御回路１４は、判断部１６により当該階調値が中間階調とみなし得る所定の範囲内にあると判断した場合には、面積階調による表示を行うように、信号供給部１３を制御する。
【００５５】
具体的には、第１のスイッチング素子２４がオン状態のときに、信号供給部１３は、制御回路１４による制御に応じて、制御線Ｗに所定の信号を供給し、第２のスイッチング素子３４をオフ状態にする。
【００５６】
したがって、第１のサブ画素２０は、第１のスイッチング素子２４がオン状態なので、データ線Ｘに供給される所定の電圧に応じた表示を行う。また、第２のサブ画素３０は、第２のスイッチング素子３４がオフ状態なので、垂直帰線期間において書き込まれている黒の階調表示を維持し、黒表示となる。このようにして、第１のサブ画素２０に高階調による表示をさせ、第２のサブ画素３０に低階調による表示をさせることにより、１画素全体で面積階調を行うことにより、中間階調の表示を行う。
【００５７】
本実施の形態によれば、例えば、階調値検出部１５によって検出された階調値が「６４」の場合には、第１のサブ画素２０を「１９２」階調で表示させ、第２のサブ画素３０を「０」階調で表示させて面積階調を行うことにより、画素全体で「６４」階調の表示を行う。なお、本実施の形態では、応答速度は、４４ｍｓｅｃとなり、通常の応答速度（８１ｍｓｅｃ）に比して、約３７ｍｓｅｃ早く中間階調の表示が行える。したがって、本実施の形態によれば、中間階調による表示を面積階調により行うことにより、応答速度の改善を図ることが可能である。
【００５８】
また、制御回路１４は、判断部１６により階調値が、中間階調とみなし得る所定の範囲内にないと判断された場合（例えば、０乃至６３及び１２９乃至２５５）には、面積階調を行わず、データ線駆動回路１２に対して制御を行う。具体的には、制御回路１４は、第１のサブ画素２０による階調表示と、第２のサブ画素３０による階調表示とで、同一の階調表示を行うように、第１のスイッチング素子２４及び第２のスイッチング素子３４をともにオン状態、又はともにオフ状態になるようにデータ線駆動回路１２を制御する。
【００５９】
このようにして、本実施の形態に係る電気光学装置１は、垂直帰線期間で、全画素に対して、いわゆる黒挿入を行い、かつ、第１のサブ画素２０と第２のサブ画素３０とにより１画素全体の階調を表示する構成であるため、画素部Ａ内におけるスイッチング素子の数を最小限にしながら、黒挿入による動画ボケの改善（動画の見栄え改善）を行いつつ、オーバードライブ処理を実行せずに中間階調表示を行うことができる。
【００６０】
また、本実施の形態によれば、オーバードライブ処理を行うために必要であったメモリが不要になるので、装置全体を縮小化でき、コストを低廉にすることができ、液晶の応答速度を改善することもできる。また、本発明によれば、オーバードライブ処理を行う際に要していた電力の省力化を図ることも可能である。
【００６１】
また、第１のサブ画素２０と第２のサブ画素３０とは、異なる面積比で構成されても良い。
【００６２】
また、上述した実施の形態では、１画素は、２つのサブ画素から構成されるものとして説明を行ったが、これに限られず、３つ以上のサブ画素により構成されても良い。また、それぞれのサブ画素に画像データを供給する時間は、同一であっても良く、また、異なっていても良い。また、本実施の形態では、液晶の駆動方式をＭＶＡ方式としたが、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）方式としても良い。
【００６３】
＜応用例＞
次に、上述した実施形態に係る電気光学装置１を適用した電子機器について説明する。図６は、電気光学装置１を適用した携帯電話機の構成を示す斜視図である。携帯電話機３０００は、複数の操作ボタン３００１及びスクロールボタン３００２、ならびに電気光学装置１を備える。スクロールボタン３００２を操作することによって、電気光学装置１に表示される画面がスクロールされる。
【００６４】
なお、電気光学装置１が適用される電子機器としては、図６に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置が適用可能である。
【図面の簡単な説明】
【００６５】
【図１】階調値と、液晶の応答時間との関係を示す図である。
【図２】本発明に係る電気光学装置の構成を示すブロック図である。
【図３】本発明に係る電気光学装置の画素部の第１の配列を示す図である。
【図４】本発明に係る電気光学装置の画素部の第２の配列を示す図である。
【図５】垂直帰線期間において、走査線に選択信号を供給するタイミングと、制御線に所定の電圧を供給するタイミングと、データ線に所定の電圧を供給するタイミングとを示す波形図である。
【図６】上述した電気光学装置を適用した携帯電話機の構成を示す斜視図である。
【図７】ＶＡ方式の液晶分子配列の模式図である。
【符号の説明】
【００６６】
１…電気光学装置、１０…走査線駆動回路、１１…共通電極駆動回路、１２…データ線駆動回路、１３…信号供給部（信号供給手段）、１４…制御回路（制御手段）、１５…階調値検出部（階調値検出手段）、１６…判断部（判断手段）、２０…第１のサブ画素、２１、３１…画素電極、２２、３２…対向電極、２３、３３…蓄積容量、２４…第１のスイッチング素子、３０…第２のサブ画素、３４…第２のスイッチング素子、３０００…携帯電話機（電子機器）、Ａ…画素部、Ｗ…制御線、Ｘ…データ線、Ｙ…走査線。
【図１】
2008076958.tif 000003
【図２】
2008076958.tif 000004
【図３】
2008076958.tif 000005
【図４】
2008076958.tif 000006
【図５】
2008076958.tif 000007
【図６】
2008076958.tif 000008
【図７】
2008076958.tif 000009